(57)【要約】【課題】現在設定されている接続モードに対応するビデオ機器とは異なる情報処理装置を間違って接続しても、この間違って接続した情報処理装置の安全性を確保することができるコネクタ装置を提供する。【解決手段】入力ポート１と出力ポート２を接続するラインＬ１と、接地との間に、抵抗３および第１スイッチ５からなる直列回路を設け、ビデオ機器からのＣＳＹＮＣ信号または情報処理機器からのＨＳＹＮＣ信号が入力ポート１に入力された時、第１スイッチをオンまたはオフする制御を行う制御回路を設けた。例えば、ビデオ機器に対する接続モードに設定されている場合に、間違って情報処理機器を接続した時、第１スイッチがオンからオフに切り換えられるので、ラインＬ１と接地間の入力インピーダンスはハイインピーダンスとなる。【選択図】        図１
2004297928.tif 000002
【特許請求の範囲】
【請求項１】
信号レベルが異なる第１の電子機器からの出力信号または第２の電子機器からの出力信号を入力ポートを介して入力する際に、それぞれの出力信号に対応させて入力インピーダンスを切り換え、前記第１の電子機器からの出力信号または第２の電子機器からの出力信号を出力ポートを介して受信側の電子機器に伝送するコネクタ装置であって、前記入力ポートと前記出力ポートを接続するポートラインと、接地との間に、抵抗および第１スイッチからなる直列回路を設け、前記第１の電子機器からの出力信号または前記第２の電子機器からの出力信号が前記入力ポートに入力されたとき、前記第１スイッチをオンまたはオフする制御を行う制御回路を設けたことを特徴とするコネクタ装置。
【請求項２】
前記第１の電子機器がビデオ機器であった場合、前記制御回路は前記第１スイッチをオンする制御を行い、前記第２の電子機器が情報処理機器であった場合、前記制御回路は前記第１スイッチをオフする制御を行うことを特徴とする請求項１に記載のコネクタ装置。
【請求項３】
前記制御回路は、前記ビデオ機器からのＣＳＹＮＣ信号または前記情報処理機器からのＨＳＹＮＣ信号に基づいて前記第１スイッチをオンまたはオフすることを特徴とする請求項２に記載のコネクタ装置。
【請求項４】
前記制御回路は、前記入力ポートからの信号レベルをスレッシュホールド電圧と比較するコンパレータと、このコンパレータからの比較結果信号に応じたレベルの信号を出力するモノステーブル・マルチバイブレータと、このモノステーブル・マルチバイブレータからの信号の内容を判断するマイクロコンピュータと、このマイクロコンピュータからの信号に従って前記第１スイッチをオンまたはオフするスイッチ切換回路とを備え、ＣＳＹＮＣ信号が前記入力ポートに入力された時、この時の前記スイッチ切換回路からの信号に従って前記第１スイッチをオンさせ、ＨＳＹＮＣ信号が前記入力ポートに入力された時、この時の前記スイッチ切換回路からの信号に従って前記第１スイッチをオフさせることを特徴とする請求項３に記載のコネクタ装置。
【請求項５】
前記コンパレータのスレッシュホールド電圧を可変する第２スイッチを前記制御回路に設け、ビデオ機器からのＣＳＹＮＣ信号が前記入力ポートに入力された時、この時の前記スイッチ切換回路からの信号に従って前記第２スイッチをオンさせて前記スレッシュホールド電圧を低く設定し、情報処理機器からのＨＳＹＮＣ信号が前記入力ポートに入力された時、この時の前記スイッチ切換回路からの信号に従って前記第２スイッチをオフさせて前記スレッシュホールド電圧を高く設定することを特徴とする請求項４に記載のコネクタ装置。
【発明の詳細な説明】
【０００１】
【発明の属する技術分野】
本発明は、例えばＤＶＤプレイヤーなどのビデオ機器からのＣＳＹＮＣ信号（水平同期信号と垂直同期信号とを含む同期信号）を含む信号またはパーソナルコンピュータなどの情報処理機器からのＨＳＹＮＣ信号（水平同期信号）を含む信号を入力して表示装置などに伝送するコネクタ装置に関する。
【０００２】
【従来の技術】
従来から、ＤＶＤプレイヤーなどのビデオ機器あるいはパーソナルコンピュータなどの情報処理機器を表示装置に接続する場合に、コネクタ装置が用いられている。この種のコネクタ装置として、例えば、ねじ込み式のＢＮＣコネクタと呼ばれているコネクタ装置が知られている。
【０００３】
このコネクタ装置における入力ポートの一つに、ＨＳＹＮＣ信号またはＣＳＹＮＣ信号を入力するＨＳＹＮＣ／ＣＳＹＮＣ入力端子があり、情報処理装置からの情報を表示装置に表示させる場合には、その入力端子に情報処理機器からのＨＳＹＮＣ信号端子を接続し、ビデオ機器からの情報を表示装置に表示させる場合には、その入力端子にビデオ機器からのＣＳＹＮＣ信号端子が接続される。
【０００４】
なお、ＴＶ映像関係でいうＣＳＹＮＣ信号とは、ビデオ信号あるいはＹ信号中に埋め込まれた３００ｍＶ程度の信号を示す。しかし、ここで言うＣＳＹＮＣ信号とは、ＴＶ映像関係で言う本来のＣＳＹＮＣ信号に加えて、ＣＳＹＮＣ信号が埋め込まれたＮＴＳＣ，ＰＡＬ，ＳＥＣＡＭのビデオ信号（ＣＶＢＳ）およびＹ信号を含むものとする。
【０００５】
ところで、例えば、情報処理機器からのＨＳＹＮＣ信号のレベルは通常５Ｖｐ−ｐであり、ビデオ機器からのＣＳＹＮＣ信号のレベルは通常２Ｖｐ−ｐであるので、各入力信号に応じてコネクタ装置側の入力インピーダンスを切り換える必要がある。即ち、表示装置側では、ＨＳＹＮＣ信号が来ているときはハイインピーダンス受けであり、一方、ＣＳＹＮＣ信号が来ているときは例えば７５Ω受けであるので、コネクタ装置側で入力インピーダンスを切り換える必要がある。
【０００６】
そこで、従来のコネクタ装置では、情報処理機器を接続する場合には情報処理接続モード（ＲＧＢ＋ＨＤ／ＶＤモード）に設定して入力ラインの終端抵抗（例えば７５Ω）を開放し、ＨＳＹＮＣ信号などを表示装置に伝送している。また、ビデオ機器を接続する場合にはビデオ接続モード（ＲＧＢ＋ＣＳＹＮＣモード）に設定して前記終端抵抗をＧＮＤ（接地）に落とし（前記終端抵抗を入力ラインとＧＮＤ間に接続し）、ＣＳＹＮＣ信号などを表示装置に伝送している。
【０００７】
【特許文献１】
特開２００２−５８１５６号公報
【０００８】
【発明が解決しようとする課題】
しかしながら、上記従来のコネクタ装置において、ビデオモードに設定されており、入力ラインが例えば７５Ωの終端抵抗で終端されている場合、ユーザが間違って情報処理機器を接続すると、ＨＳＹＮＣ信号が入力ラインに流れるが、この時に終端抵抗にもＨＳＹＮＣ信号による電流が流れ、これにより、情報処理機器側のカードの出力ポートに定格を越える過電流が流れて、その出力ポートが破壊される恐れが生じる。したがって、このような従来のコネクタ装置では、ユーザが間違って情報処理機器を接続した場合の情報処理装置側の故障を防止するための安全対策が施されていないので、信頼性が劣るという課題がある。
【０００９】
なお、特許文献１に記載の保護回路は、複数の電源の取り違え接続による事故を防止するためのものであり、入力信号の間違いによる情報処理装置側の故障を防止する安全対策を施されていないので、上記課題を解決するものではない。
【００１０】
本発明は上記のような課題を解決するためになされたもので、現在設定されている接続モードに対応する電子機器（例えばビデオ機器）とは異なる電子機器（例えば情報処理装置）を間違って接続しても、この間違って接続した電子機器を保護して安全性の向上を図ることができるコネクタ装置を提供することを目的とする。
【００１１】
【課題を解決するための手段】
上記目的を達成するために、請求項１の発明は、信号レベルが異なる第１の電子機器からの出力信号または第２の電子機器からの出力信号を入力ポートを介して入力する際に、それぞれの出力信号に対応させて入力インピーダンスを切り換え、前記第１の電子機器からの出力信号または第２の電子機器からの出力信号を出力ポートを介して受信側の電子機器に伝送するコネクタ装置であって、前記入力ポートと前記出力ポートを接続するポートラインと、接地との間に、抵抗および第１スイッチからなる直列回路を設け、前記第１の電子機器からの出力信号または前記第２の電子機器からの出力信号が前記入力ポートに入力されたとき、前記第１スイッチをオンまたはオフする制御を行う制御回路を設けたことを特徴とするコネクタ装置を提供する。
【００１２】
この構成のコネクタ装置において、第１の電子機器からの出力信号が入力ポートに入力された時、第１スイッチがオンされ、これによりポートラインと接地間が抵抗で接続される。即ち、ポートラインが抵抗で終端される。したがって、第１の電子機器からの出力信号は正常レベルで出力ポートから出力され、受信側の電子機器に伝送される。一方、第２の電子機器からの出力信号が入力ポートに入力された時、第１スイッチがオフされ、ポートラインと接地間はハイインピーダンスとなり、第２の電子機器からの出力信号は正常レベルで出力ポートから出力され、受信側の電子機器に伝送される。
【００１３】
この構成のコネクタ装置によれば、例えば、第１の電子機器に対する接続モードに設定されている場合に、間違って第２の電子機器を接続した時、制御回路の制御に従って第１スイッチがオンからオフに切り換えられるので、ポートラインと接地間の入力インピーダンスはハイインピーダンスとなり、第２の電子機器からの出力信号の電流が過電流にならず、第２の電子機器を保護することが可能になり、第２の電子機器側の安全性を向上させる。
【００１４】
請求項２の発明では、請求項１の発明において、前記第１の電子機器がビデオ機器であった場合、前記制御回路は前記第１スイッチをオンする制御を行い、前記第２の電子機器が情報処理機器であった場合、前記制御回路は前記第１スイッチをオフする制御を行うので、ポートラインと接地間の入力インピーダンスは入力ポートに接続される電子機器に応じて切り換えることが可能になり、情報処理機器側の安全性を向上させる。
【００１５】
請求項３の発明では、請求項２の発明において、前記制御回路は、前記ビデオ機器からのＣＳＹＮＣ信号または前記情報処理機器からのＨＳＹＮＣ信号に基づいて前記第１スイッチをオンまたはオフするので、ＣＳＹＮＣ信号またはＨＳＹＮＣ信号によりポートラインと接地間の入力インピーダンスを切り換えることが可能になり、情報処理装置側の安全性を向上させる。
【００１６】
請求項４の発明では、請求項３の発明において、前記制御回路は、前記入力ポートからの信号レベルをスレッシュホールド電圧と比較するコンパレータと、このコンパレータからの比較結果信号に応じたレベルの信号を出力するモノステーブル・マルチバイブレータと、このモノステーブル・マルチバイブレータからの信号の内容を判断するマイクロコンピュータと、このマイクロコンピュータからの信号に従って前記第１スイッチをオンまたはオフするスイッチ切換回路とを備え、ＣＳＹＮＣ信号が前記入力ポートに入力された時、この時の前記スイッチ切換回路からの信号に従って前記第１スイッチをオンさせ、ＨＳＹＮＣ信号が前記入力ポートに入力された時、この時の前記スイッチ切換回路からの信号に従って前記第１スイッチをオフさせるので、ＣＳＹＮＣ信号またはＨＳＹＮＣ信号によりポートラインと接地間の入力インピーダンスを切り換えることが可能になり、情報処理機器側の安全性を向上させる。
【００１７】
請求項５の発明では、請求項４の発明において、前記コンパレータのスレッシュホールド電圧を可変する第２スイッチを前記制御回路に設け、ビデオ機器からのＣＳＹＮＣ信号が前記入力ポートに入力された時、この時の前記スイッチ切換回路からの信号に従って前記第２スイッチをオンさせて前記スレッシュホールド電圧を低く設定し、情報処理機器からのＨＳＹＮＣ信号が前記入力ポートに入力された時、この時の前記スイッチ切換回路からの信号に従って前記第２スイッチをオフさせて前記スレッシュホールド電圧を高く設定する。
【００１８】
したがって、例えばビデオ機器からのＣＳＹＮＣ信号を入力する接続モードになっている状態において、間違って情報処理機器が接続され、ＨＳＹＮＣ信号が前記入力ポートに入力された時点では、前記第２スイッチはオンを維持しているので、前記コンパレータのスレッシュホールド電圧は低い状態を維持し、これにより、ＨＳＹＮＣ信号のレベルが終端抵抗により低くなっていてもＨＳＹＮＣ信号を検出することができ、ポートラインと接地間の入力インピーダンスを速くハイインピーダンスにして、情報処理機器側の安全性を更に向上させる。
【００１９】
【発明の実施の形態】
以下、添付図面を参照しつつ、本発明の実施の形態について説明する。図１は本発明の一実施形態に係るコネクタ装置の制御回路の構成を示すブロック図である。図１において、入力ポート１は、ＤＶＤプレイヤなどのビデオ機器（図示せず）またはパーソナルコンピュータなどの情報処理機器（図示せず）が接続されるポートであり、詳しくはビデオ機器からの信号に含まれるＣＳＹＮＣ信号（水平同期信号と垂直同期信号を含む同期信号）または情報処理機器からの信号に含まれるＨＳＹＮＣ信号（水平同期信号）を入力するためのものである。
【００２０】
この入力ポート１は、ラインＬ１（ラインポート）を介して、出力ポート２とコンデンサ４の一端と抵抗３（終端抵抗）の一端に接続されている。抵抗３の他端は第１スイッチ５を介してＧＮＤ（接地）に接続されている。コンデンサ４の他端はラインＬ２を介してコンパレータ１１の反転入力端子に接続され、また、ラインＬ２には直流再生回路６が接続されている。ＶｃｃとＧＮＤ間には抵抗７と抵抗８と抵抗９の直列回路が接続され、抵抗７と抵抗８との接続点はコンパレータ１１の非反転入力端子に接続されている。
【００２１】
コンパレータ１１の出力端子はラインＬ３を介してモノステーブル・マルチバイブレータ１２の入力端子に接続されている。モノステーブル・マルチバイブレータ１２の出力端子はラインＬ４を介してマイクロコンピュータ１５の入力端子に接続されると共に論理コントロール回路１４の一方の入力端子に接続されている。マイクロコンピュータ１５の出力端子はラインＬ５を介して論理コントロール回路１４の他方の入力端子に接続されている。
【００２２】
論理コントロール回路１４の出力端子はラインＬ６を介してスイッチ切換回路１３の入力端子に接続されている。スイッチ切換回路１３の一方の出力端子はラインＬ７を介して第１スイッチ５の制御端子に接続され、スイッチ切換回路１３の他方の出力端子はラインＬ８を介して第２スイッチ１０の制御端子に接続されている。第１スイッチ５の一方端子は抵抗３に接続され、その他方端子はＧＮＤに接続されている。第２スイッチ１０の一方端子は抵抗８と抵抗９との接続点に接続され、その他方端子はＧＮＤに接続されている。
【００２３】
次に、図１に示すコネクタ装置の動作について説明する。図示しない情報処理機器から入力ポート１を介してＨＳＹＮＣ信号が入力されると、このＨＳＹＮＣ信号はコンデンサ４により直流分が除去され、更に直流再生回路６によりＨＳＹＮＣ信号の底を例えば図２（ａ）に示すように２．０Ｖに固定し、コンパレータ１１の反転入力端子に入力される。
【００２４】
コンパレータ１１では、入力信号がＣＳＹＮＣ信号であるかＨＳＹＮＣ信号であるかを判別するため、非反転入力端子に設定されるスレッシュホールド電圧が例えば図２（ａ），（ｂ）に示すように４．５Ｖに設定されており、反転入力端子に前記ＨＳＹＮＣ信号が入力されると、コンパレータ１１からはＨＳＹＮＣ信号の反転波形の信号が出力され、この信号はモノステーブル・マルチバイブレータ１２に入力される。
【００２５】
これにより、モノステーブル・マルチバイブレータ１２の出力信号は、Ｈレベル（例えば５Ｖ固定電圧）となり、マイクロコンピュータ１５は、前記Ｈレベルの信号により前記入力ポート１にはＨＳＹＮＣ信号が入力されていると判断し論理コントロール回路１４に対してＬレベル（ＧＮＤレベル）の信号を出力する。
【００２６】
この時、論理コントロール回路１４は、モノステーブル・マルチバイブレータ１２の出力信号を受け付けず、スイッチ切換回路１３に対してＬレベルの信号を出力する。これにより、スイッチ切換回路１３は、第１スイッチ５および第２スイッチ１０をオフする。即ち、第１スイッチ５がオフして、７５Ωの抵抗３は開放状態となり、入力ポート１に接続されたラインＬ１がハイインピーダンスになることにより、入力ポート１に入力された情報処理機器からのＨＳＹＮＣ信号は正常レベルで出力ポート２より出力され、この出力ポート２に接続された図示しない表示装置に入力される。
【００２７】
情報処理機器のＨＳＹＮＣ端子が入力ポート１に接続されたとき、入力ポート１に接続されたラインＬ１がハイインピーダンスになるため、情報処理機器側のカードの出力ポートに過電流が流れることがなく、情報処理機器側のカードの出力ポートを保護することができる。
【００２８】
次に、入力ポート１に図示しないビデオ機器からのＣＳＹＮＣ信号が入力されると、このＣＳＹＮＣ信号はコンデンサ４により直流分が除去され、更に直流再生回路６によりＣＳＹＮＣ信号の底を図２（ｂ）に示すように例えば２．０Ｖに固定し、コンパレータ１１の反転入力端子に入力される。コンパレータ１１では入力信号がＣＳＹＮＣ信号であるかＨＳＹＮＣ信号であるかを判別するため非反転入力端子のスレッシュホールド電圧が例えば４．５Ｖに設定されており、反転入力端子にＣＳＹＮＣ信号が入力されるが、このＣＳＹＮＣ信号のレベルは、スレッシュホールド電圧よりも低いので、コンパレータ１１の出力信号は変化しない。
【００２９】
したがって、モノステーブル・マルチバイブレータ１２の出力はＬレベルとなり、マイクロコンピュータ１５は、そのＬレベルの信号により入力ポート１にはＣＳＹＮＣ信号が入力されていると判断し、論理コントロール回路１４に対してＨレベルの信号を出力する。この時、論理コントロール回路１４は、スイッチ切換回路１３に対してＨレベルの信号を出力する。これによりスイッチ切換回路１３は、第１スイッチ５および第２スイッチ１０をオンする。即ち、第１スイッチ５がオンし、７５Ωの抵抗３の一方端はＧＮＤと接続され、入力ポート１に接続されたラインＬ１が７５Ω終端される。
【００３０】
従って、入力ポート１に入力されたビデオ機器からのＣＳＹＮＣ信号は、正常レベルで出力ポート２より出力され、この出力ポート２に接続された図示しない表示装置に入力される。また、第２スイッチ１０がオンすると、コンパレータ１１の非反転入力端子に設定されるスレッシュホールド電圧が図２（ｃ）と（ｄ）に示すように例えば、４．５Ｖから３．５Ｖに下がり、入力信号がＣＳＹＮＣ信号からＨＳＹＮＣ信号に切り換った時に、ＨＳＹＮＣ信号の判別が速くできるようにしている。
【００３１】
なお、ＣＳＹＮＣ信号からＨＳＹＮＣ信号に切り換った時点では、ラインＬ１は抵抗３により終端されているので、ＨＳＹＮＣ信号のレベルはピークで４Ｖとなり、スレッシュホールド電圧が４．５Ｖでは検出できない。そのため、スレッシュホールド電圧を３．５Ｖにすれば、そのＨＳＹＮＣ信号を検出することが可能になる。
【００３２】
ここで、ビデオ機器による映像を表示装置に表示するために、入力ポート１にＣＳＹＮＣ信号が入力されており、このコネクタ装置はビデオ接続モードなっている状態、即ち、入力ポート１に接続されたラインＬ１が７５Ω終端になって状態を想定して説明する。
【００３３】
この状態のときに、ユーザが、本コネクタ装置に間違って情報処理機器を接続した場合、即ち、情報処理機器からのＨＳＹＮＣ信号端子を本コネクタ装置の入力ポート１に間違って接続した場合は次のような動作を行う。
【００３４】
即ち、この状態のときは、前述した動作により、スイッチ２がオンされているので、コンパレータ１１のスレッシュホールド電圧が例えば３．５Ｖになっており、コンパレータ１１の反転入力端子にＨＳＹＮＣ信号が入力されると、コンパレータ１１の出力信号（ＨＳＹＮＣ信号の反転信号）に従ってモノステーブル・マルチバイブレータ１２の出力信号はＨレベルとなる。一方、コンパレータ１１の反転入力端子にＣＳＹＮＣ信号が入力されているときは、モノステーブル・マルチバイブレータ１２の出力信号はＬレベルとなっている。
【００３５】
しかし、この状態の場合は、本コネクタ装置はビデオ接続モードになっているので、マイクロコンピュータ１５は論理コントロール回路１４にＨレベル信号を出力しているが、このとき間違って情報処理機器が本コネクタ装置に接続され、情報処理機器からのＨＳＹＮＣ信号が入力ポート１に入ると、モノステーブル・マルチバイブレータ１２の出力信号がＨレベルになり、マイクロコンピュータ１５の出力信号に関係なく、論理コントロール回路１４はスイッチ切換回路１３へＬレベル信号を出力する。この結果、第１スイッチ５および第２スイッチ１０はオフする。この第１スイッチ５のオフにより、入力ポート１に接続されたラインＬ１はハイインピーダンスとなり、情報処理機器からのＨＳＹＮＣ信号が正常レベルで入力可能となり、情報処理機器側のカードの出力ポートが破壊されることがない。
【００３６】
図３および図４は図１に示すコネクタ装置の回路構成を詳細に示した回路図である。図３および図４において、図１に示す構成要素に相当するものには同一の符号を付し、その説明を省略する。
【００３７】
図３において、第１スイッチ５はＦＥＴ５１を有し、このＦＥＴ５１のドレインは抵抗３に接続され、そのゲートはラインＬ７に接続され、また、そのソースはＧＮＤに接続されている。直流再生回路６は、トランジスタ６２，６４、抵抗６１，６５，６６、およびコンデンサ６３を備えている。抵抗６１の一端はラインＬ９に接続され、その他端はトランジスタ６２のベースおよびトランジスタ６４のコレクタに接続されている。トランジスタ６２のコレクタはラインＬ９に接続され、そのエミッタはラインＬ２に接続されると共に抵抗６６を介してＧＮＤに接続されている。トランジスタ６４のベースはコレクタに接続されると共にコンデンサ６３を介してＧＮＤに接続されている。トランジスタ６４のエミッタは抵抗６５を介してＧＮＤに接続されている。
【００３８】
コンパレータ１１は、比較器１１２、ＮＯＴゲート１１５などを有するＮＯＴ回路１１４、抵抗７，８１，８２，９１，９２，１１１，１１３，１１７、およびコンデンサ１１６を備えている。比較器１１２において、出力端子は抵抗１１１を介して非反転入力端子に接続され、また、非反転入力端子は抵抗７と抵抗８１との接続点に接続され、反転入力端子はラインＬ２に接続されている。
【００３９】
抵抗７，８１，８２，９１，９２は直列に接続され、抵抗７の一端はラインＬ９に接続され、抵抗９２の一端はＧＮＤに接続されている。なお、抵抗８１，８２は図１中の抵抗８に相当し、抵抗９１，９２は抵抗９に相当する。比較器１１２の出力端子はラインＬ１２を介してＮＯＴ回路１１４のＮＯＴゲート１１５の入力端子に接続されている。ラインＬ１２は抵抗１１３を介して５Ｖ電源に接続されている。ＮＯＴゲート１１５の出力端子は抵抗１１７を介してラインＬ３に接続されている。ＮＯＴ回路１１４のＶｃｃ端子とＧＮＤ端子間にはコンデンサ１１６が接続されている。
【００４０】
図４において、モノステーブル・マルチバイブレータ１２は、モノステーブル・マルチバイブレータ回路１２１、抵抗１２２，１２４，１２６、およびコンデンサ１２３，１２５を備えている。モノステーブル・マルチバイブレータ回路１２１において、Ａバー端子はＧＮＤに接続され、Ｂ端子はラインＬ３に接続されＣＬＲバー端子は抵抗１２２を介して５Ｖ電源に接続されている。また、Ｒｘ／Ｃｘ端子は抵抗１２４を介して５Ｖ電源に接続されている。Ｒｘ／Ｃｘ端子とＣｘ端子間にはコンデンサ１２５が接続されている。Ｃｘ端子は抵抗１２６を介してＧＮＤに接続され、Ｑ端子はラインＬ４に接続されている。また、Ｖｃｃ端子はコンデンサ１２３を介してＧＮＤに接続され、ＧＮＤ端子はＧＮＤに接続されている。
【００４１】
マイクロコンピュータ１５は、入出力ポート１５１とマイクロプロセッサ１５２を備えている。入出力ポート１５１において、ＳＣＬ端子はラインＬ１１を介してマイクロプロッセサ１５２のクロック端子に接続され、ＳＤＡ端子はラインＬ１０を介してマイクロプロッセサ１５２のデータ端子に接続されている。また入力出ポート１５１において、Ｄ０端子はラインＬ４に接続され、Ｄ７端子はラインＬ５に接続されている。
【００４２】
論理コントロール回路１４は、ＥＸＯＲゲート１４２ａなどを有するＥＸＯＲ回路１４１ａと、ＡＮＤゲート１４５ａなどを有するＡＮＤ回路１４４ａと、コンデンサ１４３ａ，１４６ａとを備えている。ＥＸＯＲゲート１４２ａの一方の入力端子は抵抗１２７を介してラインＬ４に接続されたラインＬ４ａに接続され、その他方の入力端子はラインＬ５に接続され、その出力端子はＡＮＤゲート１４５ａの一方の入力端子に接続されている。ＡＮＤゲート１４５ａの他方の入力端子はラインＬ５に接続され、その出力端子はラインＬ６に接続されている。
【００４３】
ＥＸＯＲ回路１４１ａのＶｃｃ端子は、５Ｖ電源に接続されると共にコンデンサ１４３を介してＧＮＤに接続されている。ＡＮＤ回路１４４ａのＶｃｃ端子は５Ｖ電源に接続されると共にコンデンサ１４６ａを介してＧＮＤに接続されている。ＥＸＯＲ回路１４１ａのＧＮＤ端子およびＡＮＤ回路１４４ａのＧＮＤ端子はＧＮＤに接続されている。
【００４４】
図３において、スイッチ切換回路１３は、ＮＯＴゲート１３２などを有するＮＯＴ回路１３１、比較器１３９、ＡＮＤゲート１４３などを有するＡＮＤ回路１４２、ＯＲゲート１４５などを有するＯＲ回路１４４、コンデンサ１３３，１３５，１３８，１４６，１４７、および抵抗１３４，１３６，１３７，１４０，１４１を備えている。ＮＯＴ回路１３１のＶｃｃ端子は５Ｖ電源に接続されると共にコンデンサ１３３を介してＧＮＤに接続されている。ＮＯＴゲート１３２の入力端子はラインＬ６に接続され、その出力端子は抵抗１３４およびラインＬ１３を介して比較器１３９の反転入力端子に接続されている。ラインＬ１３はコンデンサ１３５を介してＧＮＤに接続されている。
【００４５】
比較器１３９の非反転入力端子は、５Ｖ電源とＧＮＤ間に直列接続された抵抗１３６と抵抗１３７との接続点に接続されていると共に、抵抗１４０を介してその出力端子に接続されている。また、比較器１３９の出力端子は、抵抗１４１を介して５Ｖ電源に接続されていると共に、ＡＮＤゲート１４３の一方の入力端子およびＯＲゲート１４５の一方の入力端子に接続されている。ＡＮＤゲート１４３の他方の入力端子およびＯＲゲート１４５の他方の入力端子は、ラインＬ６に接続されている。
【００４６】
ＡＮＤ回路１４２のＶｃｃ端子は、コンデンサ１４６を介してＧＮＤに接続され、そのＧＮＤ端子はＧＮＤに接続されている。ＯＲ回路１４４のＶｃｃ端子はコンデンサ１４７を介してＧＮＤに接続され、そのＧＮＤ端子はＧＮＤに接続されている。ＡＮＤゲート１４３の出力端子はラインＬ８を介してＦＥＴ１３１ａのゲートに接続されている。ＯＲゲート１４５の出力端子はラインＬ７を介してＦＥＴ５１のゲートに接続されている。
【００４７】
電源供給回路１６は、抵抗１６１，１６２，１６３，１６７、ツェナーダイオード１６４、コンデンサ１６５、および電解コンデンサ１６６を備えている。抵抗１６１の一端は１４Ｖ電源に接続され、その他端はツェナーダイオード１６４のカソードと抵抗１６２の一端に接続されている。抵抗１６２の他端は抵抗１６３を介してＧＮＤに接続されている。抵抗１６２と抵抗１６３との接続点はツェナーダイオード１６４のゲートに接続されている。ツェナーダイオード１６４のアノードはＧＮＤに接続されている。ラインＬ１４とＧＮＤ間には、コンデンサ１６５および電解コンデンサ１６６が接続されている。ラインＬ１４は抵抗１６７を介してラインＬ９に接続されている。ラインＬ１４とＧＮＤ間の電圧は例えば１０Ｖの一定電圧となる。
【００４８】
次に図３および図４に示すコネクタ装置の制御回路の動作について説明する。先ず、情報処理機器からのＨＳＹＮＣ信号が入力ポート１に入力された場合の動作について説明する。
【００４９】
図示しない情報処理機器から入力ポート１を介してＨＳＹＮＣ信号が入力されると、このＨＳＹＮＣ信号はコンデンサ４により直流分が除去され、直流再生回路６に入力される。直流再生回路６では、トランジスタ６４のダイオード接続によりトランジスタ６２のベース電位を一定にし、これによりトランジスタ６２のエミッタ電位が一定になって前記直流分が除去されたＨＳＹＮＣ信号が、例えば２．０Ｖ底上げされ、図２（ａ）に示すようなＨＳＹＮＣ信号を得る。
【００５０】
このようにして得られたＨＳＹＮＣ信号は、コンパレータ１１の比較器１１２の反転入力端子に入力される。この比較器１１２では、非反転入力端子に供給されているスレッシュホールド電圧（例えば４．５Ｖ）と、反転入力端子に入力されたＨＳＹＮＣ信号とを比較演算する。この比較演算されたＨＳＹＮＣ信号は、更にＮＯＴゲート１１５により反転され、モノステーブル・マルチバイブレータ１２のモノステーブル・マルチバイブレータ回路１２１のＢ端子に入力される。
【００５１】
モノステーブル・マルチバイブレータ回路１２１では、前記反転されたＨＳＹＮＣ信号をトリガとして入力することにより出力端子であるＱ端子からＨレベル信号を出力する。なお、モノステーブル・マルチバイブレータ回路１２１では、Ｂ端子に反転ＨＳＹＮＣ信号が入力されている間は、Ｑ端子からＨレベル信号が出力できるようにコンデンサ１２５と抵抗１２４とによるＣＲ時定数が設定されている。
【００５２】
前記Ｑ端子から出力されたＨレベル信号は、ラインＬ４を介してマイクロコンピュータ１５の入出力ポート１５１のＤ０端子に入力され、マイクロプロセッサ１５２は、入出力ポート１５１に入力されたＨレベル信号に関する情報を判断する。即ち、マイクロプロセッサ１５２では、ラインＬ４にＨレベル信号が出力され、これにより入力ポート１には情報処理機器からのＨＳＹＮＣ信号が入力されているという情報を判断する。そして、マイクロプロセッサ１５２は、入出力ポート１５１のＤ７端子からＬレベル信号を出力させるためのデータを、ラインＬ１０およびラインＬ１１を介して入出力ポート１５１に入力する。
【００５３】
これにより、入出力ポート１５１のＤ７端子からはＬレベル信号が出力され、このＬレベル信号は、ラインＬ５を介して論理コントロール回路１４におけるＥＸＯＲゲート１４２ａの一方の入力端子およびＡＮＤゲート１４５ａの一方の入力端子に入力される。ＡＮＤゲート１４５ａは入力信号の一方がＬレベルであるので、ラインＬ６にはＬレベル信号が出力され、このＬレベル信号はスイッチ切換回路１３に入力される。
【００５４】
スイッチ切換回路１３において、ＡＮＤゲート１４３は、Ｌレベル信号を入力するので、Ｌレベル信号を出力し、第２スイッチ１３のＦＥＴ１３１ａをオフする。また、ラインＬ６からのＬレベル信号がＮＯＴゲート１３２で反転され、ラインＬ１３にＨレベル信号が出力される。比較器１３９では、反転入力端子に入力されたＨレベル信号と、非反転入力端子に設定されているスレッシュホールド電圧とをレベル比較して得られたＬレベル信号をＯＲゲート１４５の他方の入力端子に入力する。ＯＲゲート１４５では、その他方の入力端子に入力されたＬレベル信号と、前述したラインＬ６からのＬレベル信号との論理和をとり、Ｌレベル信号をラインＬ７に出力し、第１スイッチ５のＦＥＴ５１をオフする。
【００５５】
このように、第１スイッチ５のＦＥＴ５１がオフして、７５Ωの抵抗３は開放状態となり、入力ポート１に接続されたラインＬ１がハイインピーダンスになることにより、入力ポート１に入力された情報処理機器からのＨＳＹＮＣ信号は、正常レベルで出力ポート２より出力され、この出力ポート２に接続された図示しない表示装置に入力される。
【００５６】
即ち、情報処理機器のＨＳＹＮＣ端子が入力ポート１に接続されたとき、入力ポート１に接続されたラインＬ１がハイインピーダンスになるため、情報処理機器側のカードの出力ポートに過電流が流れることがなく、情報処理機器側のカードの出力ポートを保護することができる。
【００５７】
次に、ビデオ機器からのＣＳＹＮＣ信号が入力ポート１に入力された場合の動作について説明する。
【００５８】
図示しないビデオ機器から入力ポート１を介してＣＳＹＮＣ信号が入力されると、このＣＳＹＮＣ信号はコンデンサ４により直流分が除去され、直流再生回路６に入力される。直流再生回路６では、前述したようにトランジスタ６４のダイオード接続によりトランジスタ６２のベース電位を一定にし、これにより、トランジスタ６２のエミッタ電位が一定になって前記直流分が除去されたＣＳＹＮＣ信号が例えば２．０Ｖ底上げされ、図２（ｂ）に示すようなＣＳＹＮＣ信号を得る。
【００５９】
このようにして得られたＣＳＹＮＣ信号は、コンパレータ１１の比較器１１２の反転入力端子に入力される。この比較器１１２では、非反転入力端子に供給されているスレッシュホールド電圧（例えば４．５Ｖ）と、反転入力端子に入力されたＣＳＹＮＣ信号とを比較演算する。この比較演算の結果、比較器１１２からはＨレベル信号が出力され、このＨレベル信号は、更にＮＯＴゲート１１５により反転されてＬレベル信号となり、モノステーブル・マルチバイブレータ１２のモノステーブル・マルチバイブレータ回路１２１のＢ端子に入力される。
【００６０】
モノステーブル・マルチバイブレータ回路１２１では、Ｂ端子にＬレベル信号が入力されているので、Ｑ端子からＬレベル信号を出力する。前記Ｑ端子から出力されたＬレベル信号は、ラインＬ４を介してマイクロコンピュータ１５の入出力ポート１５１のＤ０端子に入力され、マイクロプロセッサ１５２は入出力ポート１５１に入力されたＬレベル信号に関する情報を判断する。即ち、マイクロプロセッサ１５２では、ラインＬ４にＬレベル信号が出力され、これにより入力ポート１にはビデオ機器からのＣＳＹＮＣ信号が入力されているという情報を判断する。そして、マイクロプロセッサ１５２は、入出力ポート１５１のＤ７端子からＨレベル信号を出力させるためのデータを、ラインＬ１０およびラインＬ１１を介して入出力ポート１５１に入力する。
【００６１】
これにより、入出力ポート１５１のＤ７端子からはＨレベル信号が出力され、このＨレベル信号は、ラインＬ５を介して論理コントロール回路１４におけるＥＸＯＲゲート１４２ａの一方の入力端子およびＡＮＤゲート１４５ａの一方の入力端子に入力される。これにより、ＥＸＯＲゲート１４２ａはＨレベル信号を出力し、ＡＮＤゲート１４５ａは、このＨレベル信号とラインＬ５（マイクロコンピュータ１５）からのＨレベル信号と入力して、Ｈレベル信号をラインＬ６に出力する。
【００６２】
そして、スイッチ切換回路１３において、ラインＬ６からのＨレベル信号がＮＯＴゲート１３２で反転され、ラインＬ１３にＬレベル信号が出力される。比較器１３９では、反転入力端子に入力されたＬレベル信号と、非反転入力端子に設定されているスレッシュホールド電圧とをレベル比較し、この結果、Ｈレベル信号を出力して、ＡＮＤゲート１４３の一方の入力端子およびＯＲゲート１４５の一方の入力端子に入力する。
【００６３】
ＡＮＤゲート１４３では、一方の入力端子に入力されたＨレベル信号とラインＬ６を介して他方の入力端子に入力されたＨレベル信号との論理積をとって、Ｈレベル信号をラインＬ８に出力する。これにより、第２スイッチ１３のＦＥＴ１３１ａはオンし、この結果、抵抗９１，９２が短絡され、比較器１１２のスレッシュホールド電圧が例えば４．５Ｖから３．５Ｖに低下する。比較器１１２のスレッシュホールド電圧を３．５Ｖにすることにより、入力ポート１に入力される信号がＣＳＹＮＣ信号からＨＳＹＮＣ信号に切り換ったときに、比較器１１２がＨＳＹＮＣ信号を速く検出できるようにしている。
【００６４】
ＯＲゲート１４５では、比較器１３９からのＨレベル信号またはラインＬ６からのＨレベル信号を入力して論理和をとって、ラインＬ７にＨレベル信号を出力して、第１スイッチ５のＦＥＴ５１をオンする。なお、ＯＲゲート１４５では、ラインＬ６からのＨレベル信号の方が比較器１３９からのＨレベル信号よりも速く入力されるので、ラインＬ６からのＨレベル信号に応答して出力されたＨレベル信号が速くＦＥＴ５１に届き、ＦＥＴ５１を素早くオンさせる。
【００６５】
このように、第１スイッチ５のＦＥＴ５１がオンされ、７５Ωの抵抗３はＧＮＤと接続され、入力ポート１に接続されたラインＬ１が７５Ω終端される。したがって、入力ポート１に入力されたビデオ機器からのＣＳＹＮＣ信号は、正常レベルで出力ポート２より出力され、この出力ポート２に接続された図示しない表示装置に入力される。
【００６６】
次に、ビデオ機器による映像を表示装置に表示するために、本コネクタ装置はビデオ接続モードなっている状態において、ユーザが間違って情報処理機器のＨＳＹＮＣ端子を入力ポート１に接続した場合の保護動作について説明する。
【００６７】
この状態のときに、ユーザが間違って情報処理機器のＨＳＹＮＣ端子を本コネクタ装置の入力ポート１に接続したとき、この時点ではスイッチ２がオンしているので、比較器１１２のスレッシュホールド電圧が、例えば３．５Ｖになっており、比較器１１２の反転入力端子にＨＳＹＮＣ信号が入力されると、３．５Ｖのスレッシュホールド電圧で比較され、この比較結果の信号がＮＯＴゲート１１５で反転され図２（ｃ）に示すようなＨＳＹＮＣ信号がラインＬ３に出力される。
【００６８】
このラインＬ３からのＨＳＹＮＣ信号を入力したモノステーブル・マルチバイブレータ回路１２１は、Ｈレベル信号を出力する。モノステーブル・マルチバイブレータ１２の出力信号がＨレベルになると、マイクロコンピュータ１５はＬレベル信号をラインＬ５に出力し、これにより、ＡＮＤゲート１４５ａの出力信号はＬレベルとなる。この後は前述した動作により、第１スイッチ５および第２スイッチ１０はオフする。この第１スイッチ５のオフにより、入力ポート１に接続されたラインＬ１はハイインピーダンスとなり、情報処理機器からのＨＳＹＮＣ信号が正常レベルで入力可能となり、情報処理機器側のカードの出力ポートが破壊されることがない。
【００６９】
【発明の効果】
以上のように、請求項１の発明によれば、入力ポートと出力ポートを接続するポートラインと、接地との間に、抵抗および第１スイッチからなる直列回路を設け、第１の電子機器からの出力信号または第２の電子機器からの出力信号が入力ポートに入力されたとき、第１スイッチをオンまたはオフする制御を行う制御回路を設けたので、例えば、第１の電子機器に対する接続モードに設定されている場合に、間違って第２の電子機器を接続した時、制御回路の制御に従って第１スイッチがオンからオフに切り換えられ、ポートラインと接地間の入力インピーダンスはハイインピーダンスとなり、第２の電子機器からの出力信号の電流が過電流にならず、第２の電子機器を保護することが可能になり、第２の電子機器側の安全性を向上させることができる。
【００７０】
請求項２の発明によれば、請求項１の発明において、第１の電子機器がビデオ機器であった場合、制御回路は第１スイッチをオンする制御を行い、第２の電子機器が情報処理機器であった場合、制御回路は前記第１スイッチをオフする制御を行うので、ポートラインと接地間の入力インピーダンスは入力ポートに接続される電子機器に応じて切り換えることが可能になり、情報処理機器側の安全性を向上させることができる。
【００７１】
請求項３の発明によれば、請求項２の発明において、制御回路は、ビデオ機器からのＣＳＹＮＣ信号または情報処理機器からのＨＳＹＮＣ信号に基づいて第１スイッチをオンまたはオフするので、ＣＳＹＮＣ信号またはＨＳＹＮＣ信号によりポートラインと接地間の入力インピーダンスを切り換えることが可能になり、情報処理装置側の安全性を向上させることができる。
【００７２】
請求項４の発明によれば、請求項３の発明において、制御回路は、入力ポートからの信号レベルをスレッシュホールド電圧と比較するコンパレータと、このコンパレータからの比較結果信号に応じたレベルの信号を出力するモノステーブル・マルチバイブレータと、このモノステーブル・マルチバイブレータからの信号の内容を判断するマイクロコンピュータと、このマイクロコンピュータからの信号に従って第１スイッチをオンまたはオフするスイッチ切換回路とを備え、ＣＳＹＮＣ信号が入力ポートに入力された時、この時のスイッチ切換回路からの信号に従って第１スイッチをオンさせ、ＨＳＹＮＣ信号が入力ポートに入力された時、この時の前記スイッチ切換回路からの信号に従って前記第１スイッチをオフさせるので、ＣＳＹＮＣ信号またはＨＳＹＮＣ信号によりポートラインと接地間の入力インピーダンスを切り換えることが可能になり、情報処理機器側の安全性を向上させることができる。
【００７３】
請求項５の発明によれば、請求項４の発明において、コンパレータのスレッシュホールド電圧を可変する第２スイッチを制御回路に設け、ビデオ機器からのＣＳＹＮＣ信号が入力ポートに入力された時、この時のスイッチ切換回路からの信号に従って第２スイッチをオンさせてスレッシュホールド電圧を低く設定し、情報処理機器からのＨＳＹＮＣ信号が入力ポートに入力された時、この時のスイッチ切換回路からの信号に従って第２スイッチをオフさせてスレッシュホールド電圧を高く設定するので、例えば、ビデオ機器からのＣＳＹＮＣ信号を入力する接続モードになっている状態において、間違って情報処理機器が接続され、ＨＳＹＮＣ信号が入力ポートに入力された時、この時点では、第２スイッチはオンを維持して、コンパレータのスレッシュホールド電圧は低い状態を維持している。したがって、この時点のＨＳＹＮＣ信号のレベルが終端抵抗により低くなっていても、ＨＳＹＮＣ信号を検出することが容易にでき、これにより、接続モードを情報処理機器側に速く切り換え、ポートラインと接地間の入力インピーダンスを速くハイインピーダンスにして、情報処理機器側の安全性を更に向上させることができる。
【図面の簡単な説明】
【図１】本発明の一実施形態に係るコネクタ装置の回路構成を示すブロック図である。
【図２】前記実施形態のコネクタ装置におけるＨＳＹＮＣ信号とＣＳＹＮＣ信号に対する処理を説明するための信号波形図である。
【図３】図１に示すコネクタ装置の回路構成を詳細に示した回路図である。
【図４】図３の続きを示す回路図である。
【符号の説明】
１  入力ポート
２  出力ポート
３  抵抗（終端抵抗）
５  第１スイッチ
１０  第２スイッチ
１１  コンパレータ
１２  モノステーブル・マルチバイブレータ
１３  スイッチ切換回路
１４  論理コントロール回路
１５  マイクロコンピュータ
Ｌ１  ライン（ポートライン）
【図１】
2004297928.tif 000003
【図２】
2004297928.tif 000004
【図３】
2004297928.tif 000005
【図４】
2004297928.tif 000006